(57)【要約】【課題】装置の小型化を図るとともに、ユーザー作業性の良好な媒体搬送装置及び画像読取装置を提供する。【解決手段】媒体を載置する媒体支持部材１０と、媒体支持部材１０に載置された媒体を搬送して、媒体支持部材１０の下方に媒体を排出する排出部１２を備える媒体搬送部１１と、媒体支持部材１０の下方に設けられ、排出部１２から排出される媒体を受ける媒体受けトレイ１３と、回動して媒体搬送部１１の上部の少なくとも一部を開閉する開閉カバー１５と、を備え、媒体支持部材１０は、媒体を載置する姿勢から、媒体受けトレイ１３から離れる方向に回動可能に構成されており、開閉カバー１５の回動軸２８ａ、２８ｂと、媒体支持部材１０の回動軸２７ａ、２７ｂと、の軸中心線Ｒ１、Ｒ２が同一線上に設けられている。【選択図】図１２
2017225020.tif 000002
【特許請求の範囲】
【請求項１】
媒体を載置する媒体支持部材と、
前記媒体支持部材に載置された媒体を搬送して、前記媒体支持部材の下方に前記媒体を排出する排出部を備える媒体搬送部と、
前記媒体支持部材の下方に設けられ、前記排出部から排出される媒体を受ける媒体受けトレイと、
回動して前記媒体搬送部の上部の少なくとも一部を開閉する開閉カバーと、を備え、
前記媒体支持部材は、前記媒体を載置する姿勢から、前記媒体受けトレイから離れる方向に回動可能に構成されており、
前記開閉カバーの回動軸と、前記媒体支持部材の回動軸と、の軸中心線が同一線上に設けられている、
ことを特徴とする媒体搬送装置。
【請求項２】
請求項１に記載の媒体搬送装置において、
前記媒体支持部材は、前記開閉カバーに対して回動可能に取り付けられており、
前記開閉カバーは、前記媒体搬送部に対して回動可能に取り付けられている、
ことを特徴とする媒体搬送装置。
【請求項３】
請求項２に記載の媒体搬送装置において、
前記媒体支持部材は、媒体搬送方向と交差する方向の両端部に設けられる一対の第１軸部を備え、
前記開閉カバーは、媒体搬送方向と交差する方向の両端部に設けられる一対の第２軸部と、一対の前記第２軸部の軸方向の内側に設けられ、一対の前記第１軸部を受ける一対の第１軸受けと、を備え、
前記媒体搬送部は、一対の前記第２軸部を受ける一対の第２軸受けを備える、
ことを特徴とする媒体搬送装置。
【請求項４】
請求項３に記載の媒体搬送装置において、
前記開閉カバーは、一対の前記第１軸受けの軸方向の内側に、前記媒体支持部材にセットされる前記媒体を案内する媒体案内部材を備えている、
ことを特徴とする媒体搬送装置。
【請求項５】
請求項１から請求項４のいずれか一項に記載の媒体搬送装置において、
前記開閉カバー及び前記媒体支持部材の少なくとも一方は、自立可能な開き角度まで回動可能に構成されている、
ことを特徴とする媒体搬送装置。
【請求項６】
媒体を読み取る読取部と、
前記媒体を前記読取部による読み取り位置に送る、請求項１から請求項５のいずれか一項に記載の前記媒体搬送装置と、を備える、
ことを特徴とする画像読取装置。
【発明の詳細な説明】
【技術分野】
【０００１】
本発明は、媒体を搬送する媒体搬送装置及び媒体を読み取る画像読取装置に関する。
【背景技術】
【０００２】
スキャナー等に代表される画像読取装置には、原稿台を開閉するとともに閉じた状態においては原稿を押さえる開閉体が設けられ、この開閉体が原稿の自動搬送装置（ＡＤＦ（Auto Document Feeder）とも呼ばれる）である場合がある。  
このような自動搬送装置としては、原稿支持トレイに載置された原稿を、送りローラー等を備える原稿搬送部によって湾曲反転させて画像読取部へと搬送し、前記原稿支持トレイの下方に設けられた原稿排出トレイに読み取り後の原稿を排出するように構成されるものがある（例えば、特許文献１及び特許文献２）。
【０００３】
ところで、前記原稿搬送部は、紙ジャムが生じた場合や前記送りローラー等のメンテナンスを行うために、前記原稿搬送部が、開閉するカバーによって開放可能に構成されている（特許文献１の図２を参照）。
【０００４】
一方、前記原稿支持トレイは、その下方に設けられた原稿排出トレイに排出された原稿を取り易くするため、前記原稿排出トレイを開放するように開閉可能に構成されている（特許文献２）。
【先行技術文献】
【特許文献】
【０００５】
【特許文献１】特開２０１４−１９７７３７号公報
【特許文献２】特開２０１２−１９７１６９号公報
【発明の概要】
【発明が解決しようとする課題】
【０００６】
前記原稿搬送部を開閉する前記カバーと前記原稿支持トレイは、それぞれが開いた際に、互いの上面が近づくように設けられている。  
装置のコンパクト化の観点から、前記カバーの回動軸と前記原稿支持トレイの回動軸は、できるだけ近くに配置することが好ましい。
【０００７】
ここで、図１９は、従来技術について説明する図である。図２０は、他の従来技術について説明する図である。例えば図１９に示すように、原稿搬送部６０を開閉するカバー６１の回動軸６１ａと、原稿支持トレイ６２の回動軸６２ａを配置する場合、両回動軸６１ａ、６２ａを近づけて距離Ｌを短くすると、開状態のカバー６１と原稿支持トレイ６２が干渉してそれぞれの開き角度を大きくとることができず、ユーザー作業性が悪くなる。  
開状態のカバー６１と原稿支持トレイ６２とが干渉しないように、回動軸６１ａと回動軸６２ａの間の距離Ｌを長くすると、装置サイズが大きくなる。  
また、原稿支持トレイ６２の回動軸６２ａが露呈するので、デザイン性が損なわれる場合がある。
【０００８】
一方、図２０に示すように、カバー６１と原稿支持トレイ６２の一部が、図を正面視した際の左右方向にオーバーラップするように配置すると、カバー６１の下方にある原稿支持トレイ６２を開く際に、原稿支持トレイ６２がカバー６１の回動軸６１ａに干渉するので、原稿支持トレイ６２の開き角度を大きくとることができず、原稿排出トレイ６３に排出された原稿を取り難くなってしまう。すなわち、ユーザー作業性が悪くなる。
【０００９】
上記問題点に鑑み、本発明の目的は、装置の小型化を図るとともに、ユーザー作業性の良好な媒体搬送装置及び画像読取装置を提供することにある。
【課題を解決するための手段】
【００１０】
上記課題を解決するため、本発明の第１の態様に係る媒体搬送装置は、媒体を載置する媒体支持部材と、前記媒体支持部材に載置された媒体を搬送して、前記媒体支持部材の下方に前記媒体を排出する排出部を備える媒体搬送部と、前記媒体支持部材の下方に設けられ、前記排出部から排出される媒体を受ける媒体受けトレイと、回動して前記媒体搬送部の上部の少なくとも一部を開閉する開閉カバーと、を備え、前記媒体支持部材は、前記媒体を載置する姿勢から、前記媒体受けトレイから離れる方向に回動可能に構成されており、前記開閉カバーの回動軸と、前記媒体支持部材の回動軸と、の軸中心線が同一線上に設けられている、ことを特徴とする。
【００１１】
本態様によれば、前記開閉カバーの回動軸と、前記媒体支持部材の回動軸と、の軸中心線が同一線上に設けられているので、前記軸中心線に交差する方向における装置サイズの増大を回避することができる。  
また、一方（例えば媒体支持部材）を開状態にする際に、他方（開閉カバー）の回動軸が干渉する虞が回避されるので、前記媒体支持部材及び前記開閉カバーの開き角度をそれぞれ大きくとることができる。以って、ユーザーの作業性が向上する。  
尚、「開閉カバーの回動軸と、媒体支持部材の回動軸と、の軸中心線が同一線上」における「同一線上」とは、必ずしも開閉カバーの回動軸と、媒体支持部材の回動軸と、の軸中心線が精密に一致している場合に限らず、多少のずれをも含む意味である。
【００１２】
本発明の第２の態様に係る媒体搬送装置は、第１の態様において、前記媒体支持部材は、前記開閉カバーに対して回動可能に取り付けられており、前記開閉カバーは、前記媒体搬送部に対して回動可能に取り付けられている、ことを特徴とする。
【００１３】
本態様によれば、前記開閉カバーの回動軸と、前記媒体支持部材の回動軸と、の軸中心線が同一線上に設ける構成を容易に実現することができる。  
その際、前記開閉カバーの前記媒体搬送部に対する取り付け精度を高めることができる。
【００１４】
本発明の第３の態様に係る媒体搬送装置は、第２の態様において、前記媒体支持部材は、媒体搬送方向と交差する方向の両端部に設けられる一対の第１軸部を備え、前記開閉カバーは、媒体搬送方向と交差する方向の両端部に設けられる一対の第２軸部と、一対の前記第２軸部の軸方向の内側に設けられ、一対の前記第１軸部を受ける一対の第１軸受けと、を備え、前記媒体搬送部は、一対の前記第２軸部を受ける一対の第２軸受けを備える、ことを特徴とする。
【００１５】
本態様によれば、前記媒体支持部材を前記開閉カバーに対して回動可能に取り付け、前記開閉カバーを前記媒体搬送部に対して回動可能に取り付けることができ、第２の態様の構成を実現できる。
【００１６】
本発明の第４の態様に係る媒体搬送装置は、第３の態様において、前記開閉カバーは、一対の前記第１軸受けの軸方向の内側に、前記媒体支持部材にセットされる前記媒体を案内する媒体案内部材を備えている、ことを特徴とする。
【００１７】
本態様によれば、前記開閉カバーが、一対の前記第１軸受けの軸方向の内側に、前記媒体支持部材にセットされる前記媒体を案内する媒体案内部材を備えているので、前記媒体支持部材にセットするために差し込まれる媒体を案内してスムーズに媒体をセットすることができる。  
また、前記開閉カバーにおいて、一対の前記第１軸受けの軸方向の内側のスペースを埋めて、見栄えの良い外観とすることができる。
【００１８】
本発明の第５の態様に係る媒体搬送装置は、第１の態様から第４の態様のいずれかにおいて、前記開閉カバー及び前記媒体支持部材の少なくとも一方は、自立可能な開き角度まで回動可能に構成されている、ことを特徴とする。
【００１９】
本態様によれば、前記開閉カバー及び前記媒体支持部材の少なくとも一方が、自立可能な開き角度まで回動可能に構成されているので、フリーストップ機構や前記開閉カバー或いは前記媒体支持部材を開いた状態に維持するストッパー等を設けることなく、前記開閉カバー或いは前記媒体支持部材を自立させることができる。
【００２０】
本発明の第６の態様に係る画像読取装置は、媒体を読み取る読取部と、前記媒体を前記読取部による読み取り位置に送る、請求項１から請求項５のいずれか一項に記載の前記媒体搬送装置と、を備えることを特徴とする。
【００２１】
本態様によれば、媒体を読み取る読取部を備えた画像読取装置において、第１の態様から第５の態様のいずれかと同様の作用効果が得られる。
【図面の簡単な説明】
【００２２】
【図１】本発明に係る画像読取装置の外観斜視図。
【図２】画像読取装置においてＡＤＦを開いた状態を示す斜視図。
【図３】ＡＤＦにおいて媒体支持部材を開いた状態を示す斜視図。
【図４】ＡＤＦにおいて媒体搬送部の開閉カバーを開いた状態を示す斜視図。
【図５】ＡＤＦの媒体搬送経路を示す側断面図。
【図６】媒体支持部材の斜視図。
【図７】開閉カバーの斜視図。
【図８】開閉カバーの底面図。
【図９】図８におけるＡ部を別の角度から示す斜視図。
【図１０】開閉カバーに媒体支持部材を取り付けた状態を示す斜視図。
【図１１】媒体搬送部の要部拡大斜視図。
【図１２】媒体搬送部に開閉カバー及び媒体支持部材を取り付けた状態を示す斜視図。
【図１３】開閉カバーと媒体支持部材の全開状態の開き角度について説明する図。
【図１４】媒体支持部材の底面図。
【図１５】図２におけるＢ部の拡大図。
【図１６】図１におけるＣ−Ｃ矢視断面斜視図。
【図１７】図２におけるＤ部を別の角度から示す斜視図。
【図１８】図２におけるＥ部を別の角度から示す斜視図。
【図１９】従来技術について説明する図。
【図２０】他の従来技術について説明する図。
【発明を実施するための形態】
【００２３】
［実施例１］
まず、本発明の一実施例に係る画像読取装置１の概略について、図面に基づいて説明する。図１は、本発明に係る画像読取装置の外観斜視図である。図２は、画像読取装置においてＡＤＦを開いた状態を示す斜視図である。図４は、ＡＤＦにおいて媒体搬送部の開閉カバーを開いた状態を示す斜視図である。図３は、ＡＤＦにおいて媒体支持部材を開いた状態を示す斜視図である。図５は、ＡＤＦの媒体搬送経路を示す側断面図である。図６は、媒体支持部材の斜視図である。図７は、開閉カバーの斜視図である。図８は、開閉カバーの底面図である。図９は、図８におけるＡ部を別の角度から示す斜視図である。
【００２４】
図１０は、開閉カバーに媒体支持部材を取り付けた状態を示す斜視図である。図１１は、媒体搬送部の要部拡大斜視図である。図１２は、媒体搬送部に開閉カバー及び媒体支持部材を取り付けた状態を示す斜視図である。図１３は、開閉カバーと媒体支持部材の全開状態の開き角度について説明する図である。図１４は、媒体支持部材の底面図である。図１５は、図２におけるＢ部の拡大図である。図１６は、図１におけるＣ−Ｃ矢視断面斜視図である。図１７は、図２におけるＤ部を別の角度から示す斜視図である。図１８は、図２におけるＥ部を別の角度から示す斜視図である。
【００２５】
各図において示すＸ−Ｙ−Ｚ座標系は、Ｘ方向が装置奥行き方向、Ｙ方向が装置幅方向、Ｚ方向が装置高さ方向を示している。尚、本明細書において−Ｘ軸方向側を装置背面側とし、＋Ｘ軸方向側を装置前面側とし、−Ｙ軸方向側を装置幅方向右側とし、＋Ｙ軸方向側を装置幅方向左側とする。また、以下において、画像読取装置１において原稿が搬送されていく搬送方向を「下流」といい、これと反対の方向を「上流」という。
【００２６】
＜画像読取装置の概要＞
まず、図１〜図４を参照して、画像読取装置１について説明する。  
画像読取装置１は、装置本体２と、本発明に係る「媒体搬送装置」としてのオートドキュメントフィーダー（ＡＤＦ）３（以下、ＡＤＦ３）とを備えている。ＡＤＦ３は、装置本体２の上面４（図２を参照）に対して閉じた姿勢（図１）と、上面４を開放する姿勢（図２）とを切換え可能に構成されている。より具体的には、ＡＤＦ３は、装置本体２の装置背面側に設けられたヒンジ部５ａ、５ｂ（図２）を介して装置本体２に対して揺動可能に接続されている。つまり、ＡＤＦ３は、装置前面側の端部を自由端として装置本体２に対して回動して開閉する。
【００２７】
装置本体２は、上面４に設けられる原稿台４ａ（図２）と操作部６とを備えている。原稿台４ａは、平坦かつ透明なガラス板として構成されており、その上面は画像を読み取る原稿を載置する原稿載置面となる。  
操作部６は、画像読取装置１を操作するための電源スイッチや設定切換ボタン等を備えて構成されている。
【００２８】
ＡＤＦ３は、「媒体」としての原稿を支持する媒体支持部材１０と、媒体支持部材１０に載置された原稿を搬送する媒体搬送部１１（図４）と、媒体搬送部１１において媒体支持部材１０の下方に設けられた排出部１２から排出される原稿を受ける媒体受けトレイ１３とを備えている。
【００２９】
媒体支持部材１０は、原稿を載置する姿勢（図１）から、媒体受けトレイ１３から離れる方向に回動可能に構成されており、媒体受けトレイ１３に対して開いた開状態（図３）をとり得る。尚、以下において、媒体支持部材１０において、原稿を載置する姿勢（図１）を閉状態と言い、媒体支持部材１０が回動して前記閉状態と前記開状態との間で変位する動きを「開閉」と言う。媒体支持部材１０の開閉機構については後に詳述する。
【００３０】
また、媒体支持部材１０には、媒体支持部材１０の載置面１０ａに載置された原稿の幅方向（Ｘ軸方向）の端部をガイドするエッジガイド１６ａ、１６ｂが設けられている。  
また、媒体支持部材１０には開口部１７が設けられており、媒体受けトレイ１３に排出された原稿の有無が確認できるようになっている。尚、開口部１７は、媒体支持部材１０の裏面に取り付けられる窓部材１８（図３）によって塞がれた状態になっている。窓部材１８は、例えば、透明な樹脂材料等により形成されている。窓部材１８は、無色透明である必要はなく、窓部材１８を通して原稿の有無が確認できる程度の透明度であればよい。
【００３１】
媒体搬送部１１は、ＡＤＦ３が装置本体２に対して閉じられている状態（図１）において媒体支持部材１０に載置された原稿を搬送し、装置本体２内に設けられる読み取り手段７に原稿の読み取り面を読み取らせた後、排出部１２から原稿を媒体受けトレイ１３に向けて排出する。
【００３２】
ＡＤＦ３の下面、すなわち原稿台４ａと対向する側には、原稿押さえ部材９が設けられている。原稿押さえ部材９は例えばスポンジのような弾性体にシート材が貼り付けられて構成されている。原稿押さえ部材９は、ＡＤＦ３が原稿台４ａに対して閉じた姿勢（図１参照）となった際、原稿台４ａに載置された原稿を当該原稿が原稿台４ａから浮かないように押圧する。これにより、原稿の被読取面を原稿台４ａに密着させることができる。尚、ＡＤＦ３の構成については後で詳述する。
【００３３】
原稿台４ａに載置された原稿は、装置本体２内を移動する読み取り手段７によって読み取られる。すなわち、原稿台４ａの下側に、読み取り手段７が原稿台４ａに対して相対的に移動可能に設けられている。  
本実施例において読み取り手段７は、主走査方向（Ｘ軸方向）に延設されるとともに、不図示の移動機構により前記主走査方向と交差する副走査方向（Ｙ軸方向）に移動可能に構成されている。  
読み取り手段７は、読取センサー（不図示）を備えている。読取センサーとしては、例えばＣＣＤ（Charge Coupled Devices）方式或いはＣＩＳ（Contact
Image Sensor)方式の光学センサーを用いることができる。
【００３４】
＜ＡＤＦにおける搬送経路について＞
次に、ＡＤＦ３における媒体搬送経路について説明する。  
ＡＤＦ３の媒体搬送部１１は、図５において点線で表される媒体搬送経路１４を備えている。媒体搬送部１１は、媒体支持部材１０の載置面１０ａに載置された原稿を媒体搬送経路１４に沿って湾曲反転させて搬送し、排出部１２から媒体受けトレイ１３に向けて排出するように構成されている。
【００３５】
また、媒体搬送部１１には、媒体搬送部１１の上部の少なくとも一部を覆う開閉カバー１５が設けられている。開閉カバー１５は、媒体搬送部１１に対して媒体搬送経路１４の一部を覆う閉状態（図１）と媒体搬送経路１４の一部を開放する開状態（図４）とを取り得る。尚、開閉カバー１５の開閉機構については、前述した媒体支持部材１０の開閉機構と合わせて後で説明する。  
【００３６】
媒体搬送経路１４は、媒体搬送経路１４に沿って配置された複数のローラーと複数の案内部材とを備え、原稿を媒体支持部材１０から媒体受けトレイ１３へ搬送可能である。図５において媒体支持部材１０の＋Ｙ方向側には、図示しない駆動源によって回転駆動させられる給送ローラー２０（図２も参照）が設けられている。給送ローラー２０は、媒体支持部材１０に載置された複数の原稿において最上位の原稿に当接した際、前記最上位の原稿を媒体搬送経路１４の下流側に給送する。  
【００３７】
媒体搬送経路１４において、給送ローラー２０の下流側には、分離ローラー２１と、搬送ローラー対２２とが原稿の搬送方向に沿って設けられている。尚、分離ローラー２１及び搬送ローラー対２２には、図示しない駆動源より駆動力が供給され、回転駆動するように構成されている。分離ローラー２１と搬送ローラー対２２との間には、２つのコロローラー２３ａ、２３ｂが設けられている。  
【００３８】
給送ローラー２０により搬送方向下流側に送り出された原稿は、媒体搬送経路１４に沿って、分離ローラー２１、コロローラー２３ａ、２３ｂ、搬送ローラー対２２の順に搬送され、読取位置２４に達する。読取位置２４に搬送されてきた原稿は、対向する位置に設けられた読み取り手段７により読み取られる。  
【００３９】
読取位置２４において読み取り手段７により読み取られた原稿は、媒体搬送経路１４において読取位置２４の下流側に設けられた排出ローラー対２６によって送られて、排出部１２から媒体受けトレイ１３に排出される。排出ローラー対２６には不図示の駆動源より駆動力が供給され、回転駆動するように構成されている。  
【００４０】
原稿の両面を読み取る場合は、原稿の一方の面（おもて面）の読取後、排出ローラー対２６を逆回転させて前記原稿を反転経路２５に送る。反転経路２５に送られた原稿は、合流点２９から媒体搬送経路１４に入り、搬送ローラー対２２によって下流側に送られて、原稿の他方の面（裏面）が読取位置２４において読み取り手段７により読み取られる。    尚、図５では反転経路２５を設ける構成としたが、例えば反転経路２５を設けず、読み取り手段７に対して媒体搬送経路１４を挟んで反対側の位置に、更に一つ読み取り手段７を設けることで、ワンスルーの搬送で原稿の両面を読み取り可能に構成しても良い。    また、媒体搬送経路１４には、給送ローラー２０、分離ローラー２１、搬送ローラー対２２、コロローラー２３ａ、２３ｂ、及び排出ローラー対２６以外の他の補助ローラーを一つ以上設けることもできる。
【００４１】
＜媒体支持部材と開閉カバーの開閉機構について＞
続いて、媒体支持部材１０と開閉カバー１５の開閉機構について説明する。  
前述したように、媒体支持部材１０は媒体受けトレイ１３に対して開閉し、開閉カバー１５は媒体搬送部１１の上部を開閉するように構成されている。  
本実施例においては、開閉カバー１５の回動軸（第２軸部２８ａ、２８ｂ：図７）軸中心線Ｒ２（図５、図７）と、媒体支持部材１０の回動軸（第１軸部２７ａ、２７ｂ：図６）と、の軸中心線Ｒ１（図５、図６）が同一線上に設けられている点に特徴を有している。
【００４２】
より具体的には、本実施例において、媒体支持部材１０は、図６に示すように、媒体搬送方向（Ｙ軸方向）と交差する方向（Ｘ軸方向）の両端部に設けられる一対の第１軸部２７ａ、２７ｂを備えている。  
媒体支持部材１０の第１軸部２７ａ、２７ｂを受ける軸受け（第１軸受け３０ａ、３０ｂ）は、開閉カバー１５に設けられている。
【００４３】
開閉カバー１５は、図７に示すように、媒体搬送方向と交差する方向の両端部に設けられる一対の第２軸部２８ａ、２８ｂを備え、媒体支持部材１０の第１軸部２７ａ、２７ｂを受ける第１軸受け３０ａ、３０ｂは、図８に示すように、開閉カバー１５において一対の第２軸部２８ａ、２８ｂの軸方向（Ｘ軸方向）の内側に設けられている（図９も参照）。
【００４４】
そして、開閉カバー１５の第２軸部２８ａ、２８ｂを受ける軸受け（第２軸受け３１ａ、３１ｂ：図５、第２軸受け３１ａについては図１１も参照）は、媒体搬送部１１に設けられている。  
図１１に示すように、第２軸受け３１ａは、媒体搬送部１１の外装部３２の内側の本体部３３に設けられている。図示を省略するが、本体部３３の−Ｘ側には、第２軸部２８ｂを受ける第２軸受け３１ｂが同様の構成で設けられている。
【００４５】
媒体支持部材１０が回動可能に取り付けられた状態の開閉カバー１５（図１０）の第２軸部２８ａ、２８ｂが、第２軸受け３１ａ、３１ｂに取り付けられて媒体搬送部１１に対して回動可能に取り付けられることにより（第２軸部２８ａ側について図１２を参照）、開閉カバー１５の回動軸の軸中心線Ｒ２と、媒体支持部材１０の回動軸の軸中心線Ｒ１とを同一線上にして開閉カバー１５及び媒体支持部材１０を媒体搬送部１１に取り付けることができる。  
尚、図１２においては、構成を見易くするために外装部３２の記載が省略されている。
【００４６】
このように、開閉カバー１５の回動軸の軸中心線Ｒ２と、媒体支持部材１０の回動軸の軸中心線Ｒ１が同一線上に設けられていることにより、軸中心線Ｒ１、Ｒ２に交差するＹ軸方向、すなわち、装置幅方向におけるサイズの増大を回避することができる。  
また、媒体支持部材１０或いは開閉カバー１５ののうち、一方を開状態にする際に、他方の回動軸が干渉する虞が回避されるので、媒体支持部材１０及び開閉カバー１５の開き角度をそれぞれ大きくとることができる。本実施例において、媒体支持部材１０及び開閉カバー１５はいずれもＸ−Ｙ平面に対して９０°以上の角度で開くことができる（図１３）。従って、ユーザーの作業性を良くすることができる。  
尚、開閉カバーの回動軸２８ａ、２８ｂの軸中心線Ｒ２と、媒体支持部材の回動軸２７ａ、２７ｂの軸中心線Ｒ１とは精密に一致している必要はなく、僅かにずれていてもよい。
【００４７】
また本実施例において、媒体支持部材１０は、開閉カバー１５に対して回動可能に取り付けられており、開閉カバー１５は、媒体搬送部１１に対して回動可能に取り付けられているので、開閉カバー１５の媒体搬送部１１に対する取り付け精度を高めることができる。  
開閉カバー１５には、図４及び図８に示すように、媒体搬送部１１を構成する給送ローラー２０及び分離ローラー２１が設けられている。給送ローラー２０及び分離ローラー２１を備える開閉カバー１５が、媒体搬送部１１に対して直接取り付けられていることにより、媒体搬送部１１における給送ローラー２０及び分離ローラー２１の取り付け精度を高くすることができる。以って、媒体搬送部１１における安定した媒体の搬送を実現できる。  
尚、本発明は、媒体支持部材１０に対して開閉カバー１５を取り付け、媒体支持部材１０を媒体搬送部１１に対して回動可能に取り付ける構成とすることも勿論可能である。
【００４８】
また、開閉カバー１５は、一対の第１軸受け３０ａ、３０ｂの軸方向の内側に、媒体支持部材１０にセットされる原稿を案内する媒体案内部材３４（図５、図８）を備えている。  
開閉カバー１５が媒体案内部材３４を備えていることにより、媒体支持部材１０にセットするために差し込まれる原稿を案内してスムーズに原稿をセットすることができる。  
また、開閉カバー１５において、第１軸受け３０ａ、３０ｂの軸方向の内側のスペースを埋めて、見栄えの良い外観とすることができる。
【００４９】
また、本実施例において、開閉カバー１５及び媒体支持部材１０は、自立可能な開き角度まで回動可能に構成され、全開状態において自立するようになっている。  
具体的には、開閉カバー１５では、図１３の一番上の図に示すように、全開状態における重心位置Ｇ２が軸中心線Ｒ２（図１３においてＸ軸方向に延びる）に対する垂線Ｆよりも−Ｙ側にあるようになっている。媒体支持部材１０では、図１３の一番下の図に示すように、全開状態における重心位置Ｇ１が軸中心線Ｒ１に対する垂線Ｆよりも＋Ｙ側にあるようになっている。
【００５０】
以上の構成によって、フリーストップ機構や開閉カバー１５或いは媒体支持部材１０を開いた状態に維持するストッパー等を設けることなく自立させることができる。  
尚、図１３の上から２番目の図は開閉カバー１５と媒体支持部材１０が閉じた状態を示している。また本実施例では、開閉カバー１５及び媒体支持部材１０の両方が自立可能に構成されているが、いずれか一方のみが自立可能に構成されていてもよい。
【００５１】
＜スキャナーにおける他の構成＞
以下において、画像読取装置１における他の構成について説明する。  
画像読取装置１は、他の通信端末との間で無線通信を行う近距離無線通信基板８（以下、ＮＦＣ基板８と称する）を備えている（図１）。  
ＮＦＣ基板８は、例えば、画像読取装置１とユーザーの携帯端末との間で近距離無線通信を行い、前記携帯端末への情報発信や、前記携帯端末から画像読取装置１の設定、画像データの転送、スキャンの実行などを行うことができる。また、各種情報を記録するＩＣチップからの前記各種情報の読み取り等を行うことができる。
【００５２】
本実施例においてＮＦＣ基板８は、ＡＤＦ３の上面側、より具体的には開閉カバー１５の上面側に設けられている。尚、ＮＦＣ基板８は、例えば開閉カバー１５の天面の裏面等の装置内側に取り付けられており、装置外観には露呈していないが、開閉カバー１５にはＮＦＣ基板８の位置を示す目印（マーク等）が設けられており、ユーザーが携帯端末をかざす位置がわかり易く示されている。
【００５３】
続いて、媒体支持部材１０におけるエッジガイド１６ａ、１６ｂの取り付け構成について、図１４を参照して説明する。前述したように、媒体支持部材１０は、載置面１０ａに載置された原稿の幅方向（Ｘ軸方向）の端部をガイドするエッジガイド１６ａ、１６ｂを備えている。エッジガイド１６ａ、１６ｂは、原稿サイズの幅サイズに応じて前記幅方向に移動可能に構成されている。
【００５４】
エッジガイド１６ａ、１６ｂは、ラックピニオン機構４０（図１４）により互いに近接及び離間する方向に移動可能に構成されている。ラックピニオン機構４０は、エッジガイド１６ａ、１６ｂのそれぞれに設けられるラック部４１ａ、４１ｂと、ラック部４１ａ、４１ｂに設けられる歯（不図示）と係合するピニオン歯車部４２を備え、エッジガイド１６ａ、１６ｂの一方の移動に連動して他方を移動させるようになっている。すなわち、エッジガイド１６ａを移動させるとエッジガイド１６ｂも連動して移動するように、または、エッジガイド１６ｂを移動させるとエッジガイド１６ａも連動して移動するようになっている。
【００５５】
エッジガイド１６ａのラック部４１ａは、図１４に示すように、媒体支持部材１０の載置面１０ａの裏面１０ｂにおいて、エッジガイド１６ｂ側に向けて延びている。エッジガイド１６ｂのラック部４１ｂは、媒体支持部材１０の裏面１０ｂにおいて、エッジガイド１６ａ側に向けて延びている。
【００５６】
ピニオン歯車部４２は、媒体支持部材１０の裏面１０ｂと、窓部材１８に一体に形成されるホルダー部１８ａと、の間に保持されるとともに、回転軸４３に回転自在に取り付けられている。尚、図１４において符号４４は、窓部材１８及びホルダー部１８ａを媒体支持部材１０に固定する固定ネジ４４である。  
このように、媒体支持部材１０の裏面１０ｂとの間でピニオン歯車部４２を保持するホルダー部１８ａが、窓部材１８と一体に形成されていることにより、部品点数及び組立工数を削減することができる。
【００５７】
続いて、図２及び図１５〜図１８を参照して、ＡＤＦ３の装置本体２に対する位置決めについて説明する。  
前述したように、ＡＤＦ３はヒンジ部５ａ、５ｂによって装置本体２に対して回動可能に取り付けられている。  
ＡＤＦ３を開いて装置本体２の原稿台４ａに原稿を載置した後、再びＡＤＦ３を閉じた際に、ＡＤＦ３の装置本体２に対する位置がずれると、その位置ずれが修正されたときに原稿台４ａに載置された原稿がずれてしまう虞がある。この問題を回避するため、閉じた状態のＡＤＦ３の装置本体２に対する位置を決める位置決め部（第１位置決め部５０及び第２位置決め部５１：図２）が設けられている。
【００５８】
本実施例においては、図２に示すように、装置幅方向左側のヒンジ部５ａ側に設けられる第１位置決め部５０と、Ｙ軸方向においてほぼ同じ位置であって、ＡＤＦ３の装置前面側（自由端側）に位置する第２位置決め部５１とが設けられている。  
装置幅方向左側のヒンジ部５ａには、ＡＤＦ３を所定の回動角（開き角）で保持可能な様に、フリーストップ機構（図示省略）が設けられている。このヒンジ部５ａによりＸ方向の位置決めがされる。
【００５９】
第１位置決め部５０は、図１５に示すように、リブ形状の第１凸部５０ａと、第１凸部５０ａが嵌合する第１凹部５０ｂとを備えている。第１凸部５０ａは、装置本体２側のヒンジ部５ａの近傍に設けられており、第１凹部５０ｂは、ＡＤＦ３側の対応する位置に設けられている。尚、第１凹部５０ｂは、図１６に示すように２つのリブの間の凹みとして形成されている。
【００６０】
第２位置決め部５１も第１位置決め部５０と同様に、リブ形状の第２凸部５１ａと、第２凸部５１ａが嵌合する第２凹部５１ｂとを備えている。第２凸部５１ａ（図２及び図１７）は、装置本体２側の装置前面側（＋Ｘ側）に設けられており、第２凹部５１ｂ（図２及び図１８）は、ＡＤＦ３側の自由端側において第２凸部５１ａに対応する位置に設けられている。尚、断面図は省略するが、第２凹部５１ｂも第１凹部５０ｂ（図１６）と同様に２つのリブの間の凹みとして形成されている。
【００６１】
ＡＤＦ３が閉じられる際、フリーストップ機構を備えるヒンジ部５ａの近傍に設けられている第１凸部５０ａと第１凹部５０ｂ（第１位置決め部５０）は、装置本体２側の装置前面側（＋Ｘ側）の第２凸部５１ａと第２凹部５１ｂ（第２位置決め部５１）よりも先に嵌合し、ＡＤＦ３が完全に閉じられる前にＡＤＦ３のＹ軸方向の位置決めを行うことができる。  
このことにより、Ｙ軸方向において第１位置決め部５０とほぼ同じ位置に設けられている第２位置決め部５１の第２凸部５１ａと第２凹部５１ｂを、容易に嵌合させることができる。そして、装置前面側の第２凸部５１ａと第２凹部５１ｂが嵌合することにより、ＡＤＦ３のＹ軸方向の位置決めを確実に行うことができる。
【００６２】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００６３】
１…画像読取装置、２…装置本体、
３…オートドキュメントフィーダー（ＡＤＦ）、４…上面、４ａ…原稿台、
５…ヒンジ部、６…操作部、７…読み取り手段、８…近距離無線通信基板（ＮＦＣ基板）、
９…原稿押さえ部材、１０…媒体支持部材、１１…媒体搬送部、１２…排出部、
１３…媒体受けトレイ、１４…媒体搬送経路、１５…開閉カバー、
１６ａ、１６ｂ…エッジガイド、１７…開口部、１８…窓部材、
２０…給送ローラー、２１…分離ローラー、２２…搬送ローラー対、
２３ａ、２３ｂ…コロローラー、２４…読取位置、２５…反転経路、
２６…排出ローラー対、２７ａ、２７ｂ…第１軸部、２８ａ、２８ｂ…第２軸部、
３０ａ、３０ｂ…第１軸受け、３１ａ、３１ｂ…第２軸受け、３２…外装部、
３３…本体部、３４…媒体案内部材、４０…ラックピニオン機構、
４１ａ、４１ｂ…ラック部、４２…ピニオン歯車部、４３…回転軸、
５０…第１位置決め部、５０ａ…第１凸部、５０ｂ…第１凹部、
５１…第２位置決め部、５１ａ…第２凸部、５１ｂ…第２凹部、
６０…原稿搬送部、６１…カバー、
Ｒ１…軸中心線、Ｒ２…軸中心線、Ｇ１…重心、Ｇ２…重心
【図１】
2017225020.tif 000003
【図２】
2017225020.tif 000004
【図３】
2017225020.tif 000005
【図４】
2017225020.tif 000006
【図５】
2017225020.tif 000007
【図６】
2017225020.tif 000008
【図７】
2017225020.tif 000009
【図８】
2017225020.tif 000010
【図９】
2017225020.tif 000011
【図１０】
2017225020.tif 000012
【図１１】
2017225020.tif 000013
【図１２】
2017225020.tif 000014
【図１３】
2017225020.tif 000015
【図１４】
2017225020.tif 000016
【図１５】
2017225020.tif 000017
【図１６】
2017225020.tif 000018
【図１７】
2017225020.tif 000019
【図１８】
2017225020.tif 000020
【図１９】
2017225020.tif 000021
【図２０】
2017225020.tif 000022